(57)【要約】【課題】線状導光体からの光を容易に精度良く導くことが出来る小型で薄い光学素子を提供する。【解決手段】記録媒体の上を浮上して相対移動するスライダに搭載される光学素子において、光源から線状導光体が導いた光を透過する材料で形成され、前記線状導光体が配設される一方の端は開放され他方の端は閉じられている溝と、前記溝の前記他方の端から入射する前記線状導光体が導いた光を偏向する偏向面と、を備え、更に、前記溝の他方の端には、前記線状導光体の先端部の光軸方向の位置と、光軸方向に垂直な方向の位置とを決める構造部を備えている。【選択図】図３
2009004021.tif 000002
【特許請求の範囲】
【請求項１】
記録媒体の上を浮上して相対移動するスライダに搭載される光学素子において、
光源から線状導光体が導いた光を透過する材料で形成され、
前記線状導光体が配設される一方の端は開放され他方の端は閉じられている溝と、
前記溝の前記他方の端から入射する前記線状導光体が導いた光を偏向する偏向面と、を備え、
更に、前記溝の他方の端には、前記線状導光体の先端部の光軸方向の位置と、光軸方向に垂直な方向の位置とを決める構造部を備えていることを特徴とする光学素子。
【請求項２】
前記構造部は、前記線状導光体の先端部が挿設される凹状構造であることを特徴とする請求項１に記載に光学素子。
【請求項３】
前記構造部は、前記線状導光体の先端部を前記溝の他方の端の方向に押すことにより前記先端部を前記溝の底部に押し付ける力を生じる、前記溝の一方の端から他方の端の方向に向かって前記溝の底に近づく斜面を有する前記溝の他方の端の部分の開口を被う庇構造であることを特徴とする請求項１に記載の光学素子。
【請求項４】
前記溝は断面形状がＶ字状であることを特徴とする請求項１乃至３の何れか一項に記載の光学素子。
【請求項５】
前記構造部に、前記線状導光体が固定されていることを特徴とする請求項１乃至４の何れか一項に記載の光学素子。
【請求項６】
前記線状導光体は、先端に前記光源からの光を集光する集光素子が結合されている光ファイバであることを特徴とする請求項５に記載の光学素子。
【請求項７】
前記集光素子は、屈折率分布型レンズであることを特徴とする請求項６に記載の光学素子。
【請求項８】
請求項５乃至７の何れか一項に記載の光学素子と、該光学素子を保持するスライダとを有することを特徴とする光ヘッド。
【請求項９】
前記スライダは、前記光学素子の前記溝の開口がある面に固定され、前記溝の開口がある面の反対の面に前記光学素子を支持するサスペンションが固定されることを特徴とする請求項８に記載の光ヘッド。
【発明の詳細な説明】
【技術分野】
【０００１】
本発明は、光学素子及び光ヘッドに関する。
【背景技術】
【０００２】
磁気記録方式では、記録密度が高くなると磁気ビットが外部温度等の影響を顕著に受けるようになる。このため高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。
【０００３】
熱アシスト磁気記録方式では、記録媒体の加熱を瞬間的に行うことが望ましい。また、加熱する機構と記録媒体とが接触することは許されない。このため、加熱は光の吸収を利用して行われるのが一般的であり、加熱に光を用いる方式は光アシスト式と呼ばれている。
【０００４】
光アシスト式で超高密度記録を行う場合、必要なスポット径は２０ｎｍ程度になるが、通常の光学系では回折限界があるため、光をそこまで集光することはできない。
【０００５】
そのため、入射光波長以下のサイズの光学的開口から発生する近接場光（近視野光とも称する。）を利用する近接場光ヘッドが利用されている。
【０００６】
近接場光ヘッドの例として、ミラー基板、開口基板と、光ファイバから成る近接場光ヘッドがある。ミラー基板はＳｉ基板上に異方性エッチングによって形成された斜面にＡｌを蒸着したミラー面を持つ。ミラー基板にはＶ溝がエッチングによって形成されており、そこに光ファイバが固定接着されている。開口基板はＳｉＯ2から成り、上面に直径０．２ｍｍのマイクロレンズが形成されている。開口基板の底面には空気浮上のためのスライダと、その間に略直方体の近視野光発生微小構造が形成されている。光ファイバからの出射光はミラー面で反射され、マイクロレンズで集光されて、近視野光発生微小構造に照射される（特許文献１参照）。
【０００７】
また、上記の例のマイクロレンズに代わり光導波路と光ファイバとが光学的及び機械的に接続する例として、光導波路と光学的に結合すべき光ファイバの位置を決める為のＶ字状の溝を設けた、透明な熱硬化性又は熱可塑性のプラスチックから成るＶ溝部材であって、金型に設けたＶ字状の溝を転写することにより成形したものと、転写したＶ字状の溝に接着し固定した光ファイバと、その上に接着固定した透明な板状部材とから成り、かつ前記光導波路を有する光導波路基板と接続する為の突合端面とを有する光ファイバ整列部品がある（特許文献２参照）。
【特許文献１】特開２００３−６９１３号公報
【特許文献２】特開平９−１５２５２２号公報
【発明の開示】
【発明が解決しようとする課題】
【０００８】
特許文献１によれば、ミラー基板はＳｉ基板上に異方性エッチングにより斜面が形成されＡｌを蒸着することでミラー面とし、また、光ファイバを固定接着するＶ溝がやはりエッチングにより形成されている。しかし、光ファイバをＶ溝に固定接着する際に十分にＶ溝に沿わせた状態を維持して精度良く固定することは容易ではなく、固定接着に関しては記載されていない。
【０００９】
また、特許文献２によれば、多芯の光ファイバを一括して光導波路基板と接続する光ファイバ整列部品としてＶ字状の溝を、微細なＶ字状の溝を有する金型をプラスチックに転写する方法で、形状が単純で、本質的には平板の表面に微細なＶ字状の溝が形成されたものであり、熱収縮も比較的均一で且つ残留歪みも少ないので、成形精度が高いＶ溝部材を得ることができると記載されている。また、光ファイバの被覆を残しておき、Ｖ溝に嵌め込むことにより、光軸方向に位置決め出来る構造が開示されている。しかし、この構造では板状部材によってＶ溝に十分に沿うように光ファイバを押さえ込まないと、光ファイバがＶ溝から浮いてしまい、位置ずれを生じてしまうことが十分予測できる。
【００１０】
従って、特許文献１及び２の何れにおいても、光ファイバから射出した光を後段に伝達する効率が低下してしまうことが十分予測できる。
【００１１】
また、近年、例えばＨＤＤ（Ｈａｒｄ  Ｄｉｓｋ  Ｄｒｉｖｅ）の様な記録装置の高密度情報記録が進むに伴い、再生記録を行うヘッドの小型化、ヘッドを構成するスライダの小型化が望まれている。スライダのサイズは、国際ディスクドライブ協会（ＩＤＥＭＡ、Ｉｎｔｅｒｎａｔｉｏｎａｌ  Ｄｉｓｋ  Ｄｒｉｖｅ  Ｅｑｕｉｐｍｅｎｔ  ａｎｄ  Ｍａｔｅｒｉａｌｓ  Ａｓｓｏｃｉａｔｉｏｎ）スタンダードとして標準化されている。サイズの大きい順からミニ・スライダ、マイクロ・スライダ、ナノ・スライダ、ピコ・スライダ、フェムト・スライダと命名されている。これらのスライダの中で、大きさの観点から現在注目されているスライダは、ナノ・スライダ、ピコ・スライダ、フェムト・スライダである。これらのスライダの大きさ（サイズ）と質量を表１に示す。
【００１２】
【表１】
2009004021.tif 000003
【００１３】
高密度情報記録においては、上記のスライダの大きさから分かるように１枚のディスク上の情報の高密度化は勿論であり、更にディスクを多層配置する、又はできるだけ小型の筐体に収納することで空間的に高密度化することも必要である。例えば、多層のディスク配置を想定した場合、ディスク同士の間隔はできるだけ小さいことが要望され、表１で示したスライダの厚みを含めた光ヘッドの厚みは、１．５ｍｍ程度以下とすることが望まれている。
【００１４】
このような微小な光ヘッドにおいて、光源からの導光手段である光ファイバ等の線状導光体を光効率を低下させないように精度良くまた容易に固定することが必要である。
【００１５】
本発明は、上記の課題を鑑みてなされたものであって、その目的とするところは、線状導光体を精度良く固定することが出来る薄い光学素子及びこの光学素子を用いた光ヘッドを提供することである。
【課題を解決するための手段】
【００１６】
上記の課題は、以下の構成により解決される。
【００１７】
１．  記録媒体の上を浮上して相対移動するスライダに搭載される光学素子において、
光源から線状導光体が導いた光を透過する材料で形成され、
前記線状導光体が配設される一方の端は開放され他方の端は閉じられている溝と、
前記溝の前記他方の端から入射する前記線状導光体が導いた光を偏向する偏向面と、を備え、
更に、前記溝の他方の端には、前記線状導光体の先端部の光軸方向の位置と、光軸方向に垂直な方向の位置とを決める構造部を備えていることを特徴とする光学素子。
【００１８】
２．  前記構造部は、前記線状導光体の先端部が挿設される凹状構造であることを特徴とする１に記載に光学素子。
【００１９】
３．  前記構造部は、前記線状導光体の先端部を前記溝の他方の端の方向に押すことにより前記先端部を前記溝の底部に押し付ける力を生じる、前記溝の一方の端から他方の端の方向に向かって前記溝の底に近づく斜面を有する前記溝の他方の端の部分の開口を被う庇構造であることを特徴とする１に記載の光学素子。
【００２０】
４．  前記溝は断面形状がＶ字状であることを特徴とする１乃至３の何れか一に記載の光学素子。
【００２１】
５．  前記構造部に、前記線状導光体が固定されていることを特徴とする１乃至４の何れか一に記載の光学素子。
【００２２】
６．  前記線状導光体は、先端に前記光源からの光を集光する集光素子が結合されている光ファイバであることを特徴とする５に記載の光学素子。
【００２３】
７．  前記集光素子は、屈折率分布型レンズであることを特徴とする６に記載の光学素子。
【００２４】
８．  ５乃至７の何れか一に記載の光学素子と、該光学素子を保持するスライダとを有することを特徴とする光ヘッド。
【００２５】
９．  前記スライダは、前記光学素子の前記溝の開口がある面に固定され、前記溝の開口がある面の反対の面に前記光学素子を支持するサスペンションが固定されることを特徴とする８に記載の光ヘッド。
【発明の効果】
【００２６】
本発明による光学素子は、線状導光体を配設する溝の閉じられている他方の端に、線状導光体の先端部の光軸方向の位置と、光軸方向に垂直な方向の位置とを決める構造部を備えている。よって、光学素子は、例えば線状導光体の先端部を光学素子の厚み方向に押さえる板等の新たな部材を必要とすることなく線状導光体を精度良く位置決めすることが出来る。このため、光学素子は薄く、位置決めする線状導光体から射出する光を精度良く偏向面に導くことができ、偏向面にて光を的確に偏向することが出来る。
【００２７】
従って、線状導光体からの光を容易に精度良く導くことが出来る薄い光学素子及びこの光学素子を用いた光ヘッドを提供することができる。
【発明を実施するための最良の形態】
【００２８】
以下、本発明を図示の実施の形態である光ヘッドに磁気記録素子を有する光アシスト式磁気記録ヘッドとそれを備えた光記録装置に基づいて説明するが、本発明は該実施の形態に限られない。尚、各実施の形態の相互で同一の部分や相当する部分には同一の符号を付して重複の説明を適宜省略する。
【００２９】
図１に光アシスト式磁気記録ヘッドを搭載した光記録装置（例えばハードディスク装置）の概略構成例を示す。この光記録装置１Ａは、以下（１）〜（６）を筐体１の中に備えている。
（１）記録用のディスク（記録媒体）２
（２）支軸５を支点として矢印Ａの方向（トラッキング方向）に回転可能に設けられたサスペンション４
（３）サスペンション４に取り付けられたトラッキング用アクチュエータ６
（４）サスペンション４の先端に取り付けられた光アシスト式磁気記録ヘッド（以下、光記録ヘッドと称する。）３
（５）ディスク２を矢印Ｂの方向に回転させるモータ（図示しない）
（６）トラッキング用アクチュエータ６、モータ及び記録等の制御を行う制御部７
こうした光記録装置１Ａは、光記録ヘッド３がディスク２の上で浮上しながら相対的に移動しうるように構成されている。
【００３０】
図２は、光ヘッド３の一例を断面図で示している。光ヘッド３は、ディスク２に対する情報記録に光を利用する光ヘッドであって、光学素子１４とスライダ１５を備えている。光学素子１４は、光源から光を導光する光ファイバ１１と、光ファイバ１１から出射する光を光アシスト部（光導波路）１６の上端面にスポット光として導く集光素子である屈折率分布型レンズ１２、１３及び光を偏向する偏向面１４ａを備えている。線状導光体である光ファイバ１１の先端には、集光素子である屈折率分布型レンズ１２、１３が結合されている。
【００３１】
スライダ１５は、上端面に形成された光スポットをディスク２に射出する光導波路１６、ディスク２の被記録部分に対して磁気情報の書き込みを行う磁気記録部１７及びディスク２に記録されている磁気情報の読み取りを行う磁気再生部１８を備えている。
【００３２】
光学素子１４には、光ファイバ１１及び集光素子である屈折率分布型レンズ１２、１３を固定接着するための断面形状がＶ字状の溝１４ｂ（以降、Ｖ溝１４ｂと称する。）が設けられている。Ｖ溝１４ｂの閉じられている端に本発明に係わる穴１４ｃが設けてあり、屈折率分布レンズ１３の先端部が穴１４ｃに挿入して固定してある。この穴１４ｃに関しては以降で説明する。
【００３３】
なお、図２ではディスク２の記録領域の進入側から退出側（図の→方向）にかけて、磁気再生部１８、光導波路１６、磁気記録部１７の順に配置されているが、配置順はこれに限らない。光導波路１６の退出側直後に磁気記録部１７が位置すればよいので、例えば、導波路１６、磁気記録部１７、磁気再生部１８の順に配置してもよい。
【００３４】
光ファイバ１１により導光される光は、例えば、半導体レーザーより出射される光である。光ファイバ１１の端面から出射したレーザー光は、集光素子である屈折率分布型レンズ１２、１３、偏向面１４ａを有する光学素子１４によって、スライダ１５に設けられた光導波路１６の上端面に集光され、この光アシスト部を成す光導波路１６を導波して光ヘッド３からディスク２に向けて出射する。
【００３５】
スライダ１５は浮上しながら磁気記録媒体であるディスク２に対して相対的に移動するが、媒体に付着したごみや、媒体に欠陥がある場合には接触する可能性がある。その場合に発生する摩耗を低減するため、スライダの材質には耐摩耗性の高い硬質の材料を用いることが望ましい。例えば、Ａｌ2Ｏ3を含むセラミック材料、例えばＡｌＴｉＣやジルコニア、ＴｉＮなどを用いれば良い。また、摩耗防止処理として、スライダ１５のディスク２側の面に耐摩耗性を増すために表面処理を行っても良い。例えば、ＤＬＣ（Ｄｉａｍｏｎｄ  Ｌｉｋｅ  Ｃａｒｂｏｎ）被膜を用いると、光の透過率も高く、ダイヤモンドに次ぐＨｖ＝３０００以上の硬度が得られる。
【００３６】
また、スライダ１５のディスク２と対向する面には、浮上特性向上のための空気ベアリング面（ＡＢＳ（Ａｉｒ  Ｂｅａｒｉｎｇ  Ｓｕｒｆａｃｅ）面とも称する。）を有している。スライダ１５の浮上はディスク２に近接した状態で安定させる必要があり、スライダ１５に浮上力を抑える圧力を適宜加える必要がある。このため、光学素子１４の上に固定されるサスペンション４は、光ヘッド３のトラッキングを行う機能の他、スライダ１５の浮上力を抑える圧力を適宜加える機能を有している。
【００３７】
光ヘッド３から出射したレーザー光が微小なスポットとしてディスク２に照射されると、ディスク２の照射された部分の温度が一時的に上昇してディスク２の保磁力が低下する。その保磁力の低下した状態の照射された部分に対して、磁気記録部１７により磁気情報が書き込まれる。この光ヘッド３に関して以下に説明する。
【００３８】
まず、集光素子を構成する屈折率分布型レンズ１２，１３に関して説明する。屈折率分布型レンズ（Ｇｒａｄｅｄ  Ｉｎｄｅｘ  Ｌｅｎｓ、以下、「ＧＲＩＮレンズ」と略す。）は、屈折率が一様でない（中心に近いほど屈折率が大きい）媒質を用いたレンズで、屈折率が連続的に変化することでレンズ作用をする円柱形状のレンズである。具体的なＧＲＩＮレンズは、例えば、ＳｉＧＲＩＮ（登録商標）（シリカグリン、東洋ガラス（株））がある。ＧＲＩＮレンズの半径方向の屈折率分布ｎ（ｒ）は、次式（１）で表される。
ｎ（ｒ）＝Ｎ０＋ＮＲ２×ｒ2                （１）
但し、
ｎ（ｒ）：中心からの距離ｒの位置の屈折率
Ｎ０：中心部の屈折率
ＮＲ２：ＧＲＩＮレンズの集光能力を表す定数
ＧＲＩＮレンズ１２、１３を具体的に式（１）で表す例として以下があり、直径としては例えば、８５μｍ、１２５μｍである。
ＧＲＩＮレンズ１２（ＮＡ：０．１６６）
Ｎ０＝１．４７９６０６
ＮＲ２＝−２．３８０９５２
ＧＲＩＮレンズ１３（ＮＡ：０．３９５）
Ｎ０＝１．５４０７３７
ＮＲ２＝−１２．４７６１９
ＧＲＩＮレンズは、半径方向に屈折率分布を持っていることから光軸を合わせることが容易であるという特徴を持っている。このため、光ファイバ１１とＧＲＩＮレンズ１２とＧＲＩＮレンズ１３との光軸を容易に合わせることができる。また、光ファイバ１１が石英からなる場合、ＧＲＩＮレンズ１２とＧＲＩＮレンズ１３を成す材料も光ファイバ１１と同様であることから、これらを溶融処理により接合して一体化することができる。この接合により、取り扱いが容易となると同時に、光ファイバ１１、ＧＲＩＮレンズ１２、ＧＲＩＮレンズ１３それぞれが接する面での光損失が抑えられ光ファイバにより導光された光を効率良くＧＲＩＮレンズ１３より出射することができる。
【００３９】
ＧＲＩＮレンズ１２及びＧＲＩＮレンズ１３で構成する集光素子は、光ファイバ１１により導光された光をＧＲＩＮレンズ１３の光出射面より離れた位置に収束して光スポットを形成する構成としている。ＧＲＩＮレンズ１２及びＧＲＩＮレンズ１３それぞれのＮＡ（Ｎｕｍｅｒｉｃａｌ  Ａｐｅｒｔｕｒｅ）は異なっており、ＧＲＩＮレンズ１２及びＧＲＩＮレンズ１３を選択し、また、組み合わせ、それぞれの長さを適宜決めることで、光学素子が占める長さ、光学素子の光出射面から光スポット位置までの距離を決めることができる。
【００４０】
ＧＲＩＮレンズ１２及びＧＲＩＮレンズ１３の直径と光ファイバ１１の直径とが±１０％程度にほぼ同じことが好ましく、同じであることがより好ましい。上記の通り光ファイバ１１とＧＲＩＮレンズ１２とＧＲＩＮレンズ１３は、溶融処理により接合することができるため、それぞれがほぼ同じ直径とすると直径の中心を合わせて接合する作業を容易とすることができる。
【００４１】
光ファイバ１１とＧＲＩＮレンズ１２とＧＲＩＮレンズ１３を接合して一体化（以下、結合集光素子２０と称する。）すると、光ファイバ１１により光源から導かれて光をＧＲＩＮレンズ１３の出射端面から離れた位置に光スポットを効率良く形成することができる。
【００４２】
この結合集光素子２０は、図２に示す光学素子１４に設けてある断面形状がＶ字状のＶ溝１４ｂの両側壁の底部に沿わせて配設され、結合集光素子２０の先端部はＶ溝１４ｂの閉じられている端に備えている凹状構造である穴１４ｃに挿入され接着固定してある。図３に光学素子１４の斜視図を示す。
【００４３】
Ｖ溝１４ｂは、配設される光ファイバ１１及び結合集光素子２０の直径、偏向面１４ａへの光の入射位置及び入射角度が考慮されて設けてある。また、穴１４ｃの開口の大きさ、深さは、それぞれ結合集光素子２０の直径、結合集光素子２０の光の出射端面から偏向面１４ａを経て光導波路１６の上端面までの距離が考慮されて設けられている。穴１４ｃに結合集光素子２０を挿入して固定することにより結合集光素子２０の先端部の光軸方向の位置と、光軸方向に垂直な方向の位置とを容易に決めることができる。
【００４４】
従って、Ｖ溝１４ｂに配設されその先端部が穴１４ｃに挿入され固定される結合集光素子２０から射出する収束光は偏向面１４ａに精度良く導かれ、的確に偏向される。偏向された収束光は、光学素子１４の下面に光スポットを効率良く形成する。この結果、結合集光素子２０からの光を容易に精度良く導くことが出来る光学素子１４を得ることができる。また、光学素子１４に、結合集光素子２０を精度良く固定するために、例えば結合集光素子２０の先端部が浮かない様に押さえ込む新たな板状部材等を必要としないため、光学素子１４は小型で、薄くすることが出来る。
【００４５】
図２、図３で示した穴１４ｃの断面形状は、図４（ａ）に示すように円筒形状であるが、円筒形状に限らず、結合集光素子２０の外周位置を規制することで結合集光素子２０の光軸方向に垂直な方向の位置を決めることが出来る形状であればよい。例えば、図４（ｂ）の１４ｃ−１、（ｃ）の１４ｃ−２にそれぞれ示すように結合集光素子２０を挿入する穴の断面形状を四角形や五角形としてもよい。また穴１４ｃは、穴の開口部から閉じた端部に向かって傾斜を備えておくことが好ましい。傾斜を持たせることで結合集光素子２０を穴１４ｃに挿入しやすくなり、光学ヘッドの製造をより容易にすることが出来る。また、光学素子１４を射出成形法やプレス法により製造する際の型抜きを容易とすることができる。尚、図４は、各穴１４ｃ、１４ｃ−１、１４ｃ−２の周辺の断面を偏向面１４ａ側から見た図である。
【００４６】
穴１４ｃの閉じた先端部と結合集光素子２０の先端部とが間隙なく良好に接触する様に、例えば両先端部を平坦にするのが好ましい。穴１４ｃの閉じた端部と結合集光素子２０の端部を間隙無く固定することで、結合集光素子２０から射出される光を効率良く光学素子１４に取り込むことが出来る。間隙が生じる場合は、例えばアクリル系やエポキシ系の屈折率が１．３〜１．５程度の公知の光学部品用の接着剤等を充填するのが好ましい。このような屈折率の値を有する接着剤等を間隙に充填することで、屈折率差による光の伝達効率の低下を抑えることが出来る。
【００４７】
また、光ファイバ１１及び結合集光素子２０を光学素子１４に配設する溝の断面形状はＶ字状に限定する必要はなく、例えば矩形状の溝としてもよいが、円筒形状の結合集光素子２０の座りの良さや高精度に成形する容易性からＶ字状とするのが好ましい。
【００４８】
図５は、別の例として光学素子３０を有する光ヘッド３を断面図で示している。図５に示すように、結合光学素子２０は、光学素子３０に設けてある断面形状がＶ字状のＶ溝３０ｂの両側壁の底部に沿わせて配設され、結合集光素子２０の先端部はＶ溝３０ｂの閉じられている端に設けてある庇構造３０ｄの斜面３０ｃに突き当てた状態で接着固定してある。図６に光学素子３０の斜視図を示す。
【００４９】
Ｖ溝１４ｂは、配設される光ファイバ１１及び結合集光素子２０の直径、偏向面１４ａへの光の入射位置及び入射角度が考慮されて設けてある。また、庇構造３０ｄは、結合集光素子２０の直径を考慮して、Ｖ溝３０ｂが開放されている端から閉じられている端の方向に向かってＶ溝の底に近づいている斜面３０ｃを備えている。この斜面３０ｃの位置及び傾斜は、結合集光素子２０の直径、結合集光素子２０の光の出射位置から偏向面１４ａを経て光導波路１６の上端面までの距離等を考慮されている。すなわち、斜面３０ｃは、Ｖ溝３０ｂと協力して、結合集光素子２０をＶ溝の閉じられている端の方向に押すことにより結合集光素子２０の先端部をＶ溝３０ｂの底部に押し付ける力が生じることで、結合集光素子２０の先端部の光軸方向の位置と、光軸方向に垂直な方向の位置とを決めることが出来る。
【００５０】
従って、Ｖ溝３０ｂに配設されその先端部が庇構造３０ｄが有する斜面３０ｃに突きあてられて固定される結合集光素子２０から射出する収束光は偏向面３０ａに精度良く導かれ、的確に偏向される。偏向された収束光は、光学素子３０の下面に光スポットを効率良く形成する。この結果、結合集光素子２０からの光を容易に精度良く導くことが出来る光学素子３０を得ることができる。また、光学素子３０に、結合集光素子２０を精度良く固定するために、例えば結合集光素子２０の先端部が浮かない様に押さえ込む新たな板状部材等を必要としないため、光学素子１４は小型で、薄くすることが出来る。
【００５１】
図５に示すように、結合集光素子２０の先端部と光学素子３０との間に間隙があるが、上記と同様に、この間隙に、例えばアクリル系やエポキシ系の屈折率が１．３〜１．５程度の公知の光学部品用の接着剤等を充填するのが好ましい。このような接着剤等を間隙に充填することで、屈折率差による光の伝達効率の低下を抑えることが出来る。
【００５２】
また、光ファイバ１１及び結合集光素子２０を光学素子３０に配設する溝の断面形状はＶ字状に限定する必要はなく、例えば矩形状の溝としてもよいが、円筒形状の結合集光素子２０の座りの良さや高精度に成形する容易性からＶ字状とするのが好ましい。
【００５３】
これまで説明した光学素子１４、３０においては、光学素子１４を例にすると、図２に示すようにＶ溝１４ｂの開口をスライダ１５を設ける光学素子１４の下面側としてあるが、スライダ１５を設ける反対側の上面側としてもよい。
【００５４】
また、図２で示す様に光ファイバ１１と偏向面１４ａとの間にＧＲＩＮレンズ１２、１３からなる結合集光素子２０を設ける光ヘッド３を構成し、例えば、偏向面１４ａにおける偏向角度を９０°とする。このようにすると、結合集光素子２０を光ヘッド３が浮上走行する方向と概平行に設けることができ、光ヘッドの高さ方向に集光素子を配置する必要がなくなるため、光ヘッド３を薄く構成とすることができ光ヘッド３をより薄くすることができる。
【００５５】
図３、図６にそれぞれ示す光学素子１４、３０は、例えば、熱可塑性樹脂を材料として射出成形法やプレス成形法により形成することが出来る。熱可塑性樹脂としては、例えば、ＺＥＯＮＥＸ（登録商標）４８０Ｒ（屈折率１．５２５、日本ゼオン（株））、ＰＭＭＡ（ポリメチルメタクリレート、例えば、スミペックス（登録商標）ＭＧＳＳ、屈折率１．４９、住友化学（株））、ＰＣ（ポリカーボネート、例えば、パンライト（登録商標）ＡＤ５５０３、屈折率１．５８５、帝人化成（株））等が挙げられる。
【００５６】
図２で示す光ヘッド３のように、光学素子１４のＶ溝１４ｂが開口している面にスライダ１５が固定され、Ｖ溝１４ｂが開口している面の反対の面に光学素子１４を支持するサスペンションが固定されるのが好ましい。このためには、結合集光素子２０を設けるＶ溝１４ｂは光学素子１４の下面側に開口し、Ｖ溝１４ｂの底となる上側に結合集光素子２０を固定する構成がある。
【００５７】
光ヘッド３はこれをディスク２の上に保持するサスペンション４と結合する必要があり、このサスペンション４と結合する場所を光ヘッド３に確保する必要がある。サスペンション４で光ヘッド３を下側から保持する構成は、ディスク２の上を浮上して相対移動する浮上機構を有したスライダ１５が必要であるため困難である。
【００５８】
また、光学素子１４とスライダ１５との間に挟む様にサスペンション４を設ける構成は、結合集光素子２０を設けるためのＶ溝１４ｂがあるために、このＶ溝１４ｂの開口を避ける必要がある。また、光導波路１６に集光する光束も避ける必要がある。このため、例えば、サスペンション４を記録面の上を浮上走行する方向で且つ光学素子１４の中央部で固定しようとする場合、サスペンション４を固定する個所をＶ溝１４ｂに沿った光学素子１４の中央とすることが出来ないので、バランスの良い保持が困難となる。
【００５９】
上記より、光学素子１４のスライダを取り付ける下面側に開口するＶ溝１４ｂを設け、このＶ溝１４ｂの底となる上側に結合集光素子２０を設ける構成とするのが好ましく、このようにすると光学素子１４の上面側にサスペンション４を容易に設けることができる。光学素子１４の上面は、Ｖ溝等の凹凸がない平面状態であり、サスペンション４を取り付ける上での自由度が大きく、光ヘッド３をディスク２の上に安定して浮上させることができるようにサスペンション４を光学素子１４にバランス良く固定することができる。また、平面状態を利用して、例えば、光学素子１４の上面に組み立てを容易とするサスペンション４との結合用の位置決めマーク等を設けることもできる。また、サスペンション４と光源から光を導く光ファイバ１１とが近い状態となるため、光ファイバ１１をサスペンション４に沿わせて固定することが容易にできる。
【００６０】
また、光学素子１４の下面側にスライダ１５が固定されると、スライダ１５が備えている光導波路１６に光学素子１３により導かれる光を効率良く伝達することができるため、好ましい。
【００６１】
これまで説明した光ヘッドは、ディスク２に対する情報記録に光を利用する光アシスト式磁気記録ヘッドであるが、記録媒体に対する情報記録に光を利用する光記録ヘッドであって、磁気再生部１７と磁気記録部１８を有しない、例えば、近接場光記録、相変化記録等の記録を行う光ヘッドとすることができ、また、近接場光を発生する微小な金属構造体（プラズモンプローブとも称する。）を光導波路１６の光出射位置又はその近傍に配置してもよい。
【図面の簡単な説明】
【００６２】
【図１】光記録装置の例を示す図である。
【図２】光ヘッドに磁気記録素子を有する光アシスト式磁気記録ヘッドの一例を示す断面図である。
【図３】光ヘッドが有する光学素子の例を示す斜視図である。
【図４】。
【図５】光ヘッドに磁気記録素子を有する光アシスト式磁気記録ヘッドの一例を示す断面図である。
【図６】光ヘッドが有する光学素子の例を示す斜視図である。
【符号の説明】
【００６３】
２  ディスク
３  光ヘッド
４  サスペンション
１１  光ファイバ（線状導光体）
１２、１３  屈折率分布型レンズ（ＧＲＩＮレンズ）
１４、３０  光学素子
１４ａ、３０ａ  偏向面
１４ｂ、３０ｂ  Ｖ溝
１４ｃ、１４ｃ−１、１４ｃ−２  穴
２０  結合集光素子
３０ｄ  庇構造
３０ｃ  斜面
１５  スライダ
１６  光アシスト部（光導波路）
１７  磁気記録部
１８  磁気再生部
【図１】
2009004021.tif 000004
【図２】
2009004021.tif 000005
【図３】
2009004021.tif 000006
【図４】
2009004021.tif 000007
【図５】
2009004021.tif 000008
【図６】
2009004021.tif 000009